(57)【要約】【課題】  データ通信性能がよく、アンテナコイルの配置に自由度があり、製造コストの安いリーダライタおよびリーダライタ機能付き情報携帯端末を実現する。【解決手段】  可搬記録媒体との間でデータ通信を行うリーダライタは、導電性ポリマー組成物からなり、かつループ形状を有するデータ通信用のアンテナ、を備え、また、可搬記録媒体との間でデータ通信を行うリーダライタ機能を有する情報携帯端末１００は、リーダライタ機能用のアンテナ１１であって、この情報携帯端末の筐体の外周部を取り囲むループ形状を有しかつ導電性ポリマー組成物からなるアンテナ１１、を備える。【選択図】      図１
2006157206.tif 000002
【特許請求の範囲】
【請求項１】
可搬記録媒体との間でデータ通信を行うリーダライタ機能を有する情報携帯端末であって、
該情報携帯端末の筐体の接合部分に設けられる導電性ゴムパッキンを、前記リーダライタ機能のためのアンテナ回路とすることを特徴とする情報携帯端末。
【請求項２】
可搬記録媒体との間でデータ通信を行うリーダライタであって、
導電性ポリマー組成物からなり、かつループ形状を有するデータ通信用のアンテナ、を備えることを特徴とするリーダライタ。
【請求項３】
前記導電性ポリマー組成物は、高分子マトリクス中に導電性フィラーを分散させたものを含む請求項２に記載のリーダライタ。
【請求項４】
前記高分子マトリクスは、軟質高分子材料からなる請求項３に記載のリーダライタ。
【請求項５】
前記高分子マトリクスは、エラストマーである請求項４に記載のリーダライタ。
【請求項６】
前記導電性フィラーは、カーボンブラックおよび／またはグラファイトである請求項３〜５に記載のリーダライタ。
【請求項７】
可搬記録媒体との間でデータ通信を行うリーダライタ機能を有する情報携帯端末であって、
前記リーダライタ機能用のアンテナであって、該情報携帯端末の筐体の外周部を取り囲むループ形状を有しかつ導電性ポリマー組成物からなるアンテナを備えることを特徴とする情報携帯端末。
【請求項８】
前記導電性ポリマー組成物は、高分子マトリクス中に導電性フィラーを分散させたものを含む請求項７に記載の情報携帯端末。
【請求項９】
前記高分子マトリクスは、軟質高分子材料からなる請求項８に記載の情報携帯端末。
【請求項１０】
前記高分子マトリクスは、エラストマーである請求項９に記載の情報携帯端末。
【請求項１１】
前記導電性フィラーは、カーボンブラックおよび／またはグラファイトである請求項８〜１０に記載の情報携帯端末。
【発明の詳細な説明】
【技術分野】
【０００１】
本発明は、可搬記録媒体との間でデータ通信を行うリーダライタおよびリーダライタ機能を有する情報携帯端末に関する。
【背景技術】
【０００２】
ＩＣカードまたはＩＣタグのような可搬記録媒体は、データ記憶用のＩＣメモリを内蔵しており、その携帯性、耐久性、メンテナンス性などの特長から様々な場面で適用されている。可搬記録媒体との間のデータ通信は、リーダライタを介して行われる。リーダライタは、可搬記録媒体内に設けられたコイルからなるアンテナとリーダライタの情報送受信部との間の電磁誘導現象を利用し、可搬記録媒体に対するデータの読出しおよび書込みを行う。リーダライタは、データの読出しおよび書込みのための構造により、非接触型と接触型とに区別される。このうち、非接触型のリーダライタは、リーダライタに設けられたアンテナコイルを介して可搬記録媒体に対してデータを送受信するものである。
【０００３】
図１２は、一般的な非接触型のリーダライタの概略的な回路図である。一般に、リーダライタ１０１は、アンテナ回路部５１、ＲＦ回路部５２、制御回路部５３、および上位ホスト５４を備える。
【０００４】
アンテナ回路部５１は、アンテナコイル６１とマッチング回路６２とを備え、電磁誘導現象を利用して可搬記録媒体との間でデータ通信や電力供給を行う。アンテナコイル６１は、導電性金属部材をコイル状に周回させたループ形状を有している。具体的には、導線を周回させてループを構成したり、あるいはプリント基板（ＦＲ４）やフレキシブル基板（ＦＰＣ）に配線パターンを周回させてループを構成することで実現される。マッチング回路６２は、無線通信に用いる搬送波（キャリア）周波数や入出力インピーダンスを考慮して整合されている。リーダライタと可搬記録媒体との関係では、アンテナコイル６１のインダクタンスとマッチング回路６２のキャパシタンスとで決まる周波数が、データ通信時に使用する搬送波（キャリア）周波数に同調したときに、通信可能となる。
【０００５】
ＲＦ回路部５２は、可搬記録媒体へ送信するためのデータを符号化し搬送波に変調を行う送信部６３と、可搬記録媒体に電力供給を行うための電力増幅部６４と、可搬記録媒体から受信したデータを復調する受信部６５とを備える。
【０００６】
制御回路５３は、ＲＦ回路部５２を所定の通信プロトコルに従って制御するとともに、上位ホスト５４との間のインタフェース機能を有する。
【０００７】
近年は、リーダライタを構成する各種電子回路の小型集積化が進み、携帯電話、ＰＤＡ（パーソナル・ディジタル・アシスタンツ）あるいはハンディターミナルなどの情報携帯端末に、リーダライタ機能を組み込むような用途も増えつつある（例えば、特許文献１参照）。この一従来例として、リーダライタ機能付き携帯電話について説明する。図１３は、従来例によるリーダライタ機能付き携帯電話を例示する図であり、（ａ）は正面図、（ｂ）は側面図、（ｃ）は背面図である。通常、小型の携帯電話２００内にリーダライタ機能を組み込むゆえ、アンテナコイル６１はアンテナ基板７１上の配線パターンを集積化することで実現することが多い。アンテナ基板７１の背後には、バッテリや各種回路などが設けられた部品７２が配置される。リーダライタのＲＦ回路部なども部品７２内に設けられる。
【０００８】
図１４は、アンテナコイルにおける電磁誘導現象を説明する図である。アンテナコイル６１に図中矢印の向きに電流ｉが流れると、フレミングの右手の法則に従い、図中矢印の向きに磁束Φが発生する。このとき、可搬記録媒体（図示せず）が磁束Φ近傍にあると、可搬記録媒体中のアンテナに、磁束Φによる誘導起電力が発生し、データ通信が実現する。
【０００９】
図１５は、渦電流に起因するリーダライタのデータ通信性能の低下を説明する図である。アンテナコイル６１に図中矢印の向きに電流ｉが流れると、フレミングの右手の法則に従い、図中矢印の向きに磁束Φが発生する。しかし、図１３を参照して説明したように、アンテナ基板７１の背後には部品７２が存在する。部品７２は、通常、バッテリや各種回路であり、いわば金属の塊であるといえる。そのため、図中矢印の向きに磁束Φが発生すると、金属からなる部品７２上には、図中矢印の向きに渦電流ｉ’が発生し、さらに、この渦電流ｉ’に起因して磁束Φ’が発生する。渦電流ｉ’による磁束Φ’は、アンテナコイル６１による磁束Φを打ち消す向きに発生するので、その結果、アンテナコイル６１のデータ通信性能が低下する。つまり、リーダライタの、可搬記録媒体に対するデータ通信可能範囲が低下することになる。
【００１０】
図１６は、渦電流に起因するリーダライタのデータ通信性能の低下を防止するフェライト材を備えるリーダライタ機能付き携帯電話の従来例を説明する図であり、（ａ）は正面図、（ｂ）は側面図、（ｃ）は背面図である。また、図１７は、図１６に示すリーダライタ機能付き携帯電話における電磁誘導現象を説明する図である。
【００１１】
アンテナコイル６１と、金属からなる部品７２と、の間に、フェライト材７３を配置すると、アンテナコイル６１による磁束Φは、フェライト材７３を通るため、部品７２上には渦電流は発生しない。したがって、リーダライタのデータ通信性能の低下を防止することができる。
【００１２】
図１８は、アンテナコイルのパターンを工夫することによりデータ通信性能の低下を防止するリーダライタ機能付き携帯電話の従来例を説明する図であり、（ａ）は正面図、（ｂ）は側面図、（ｃ）は背面図である。また、図１９は、図１８に示すリーダライタ機能付き携帯電話のアンテナコイルのパターンを示す拡大図である。また、図２０は、図１８および１９に示すリーダライタ機能付き携帯電話における電磁誘導現象を説明する図であって、特に図１９のＡ−Ａ’断面図である。
【００１３】
図示の従来例では、アンテナ基板７１の両面交互に、スルーホールビア７４を通すようにアンテナコイル６１が螺旋状に配線される。これにより、図２０に示すように、アンテナコイル６１からの磁束Φは、金属からなる部品７２を直交しないような方向、すなわち略水平な方向に発生するので、部品７２には図１５を参照して説明したような渦電流は発生せず、したがって、渦電流に起因してアンテナコイル６１からの磁束Φが弱められることはなく、リーダライタのデータ通信性能は低下しない。
【００１４】
【特許文献１】特開平９−８３６６２号公報
【発明の開示】
【発明が解決しようとする課題】
【００１５】
上述のように、リーダライタを構成するための各種電子回路の小型化の進展に伴い、各種機器にリーダライタ機能を組み込むことが可能になった。しかしながら、可搬記録媒体とのデータ通信に用いられるアンテナコイルは、その形状が固定されているために機器内における配置の自由度が乏しい。また、リーダライタ機能を組み込む機器の大きさ、用途、機器内の回路構成など、様々な要件に応じてアンテナコイルを設計することは非常に煩雑な作業である。
【００１６】
また、一般にリーダライタは、アンテナコイルのループ形状の開口面積が広いほど、可搬記録媒体に対するデータ通信性能がよい。しかしながら、例えば情報携帯端末内に設けられるリーダライタについては、端末本体が小型であることから、アンテナコイルのループ形状の開口面積を広く取ることは難しい。
【００１７】
また、本来であれば、渦電流に起因するリーダライタのデータ通信性能の低下を防止するためにもアンテナコイル近辺に金属部品を配置しないとする制約要件を設けたいところであるが、小型の端末本体内に数多くの部品や回路を盛り込む必要があるため、このような制約要件を満たす設計を行うことは現実的に難しい。
【００１８】
また、同じく渦電流に起因するリーダライタのデータ通信性能の低下を防止するためにフェライト材を用いるという対応策は、フェライト材は高価であることから情報携帯端末のコストアップにつながり、またフェライト材を各種回路や部品が詰まった小型の情報携帯端末内にさらに含めなければならないことから設計が一層複雑なものになり、好ましくない。
【００１９】
さらに、アンテナに隣接する金属からなる部品上に渦電流が発生しないように該部品に略水平な向きに磁束を発生させるという対応策は、上記のようにフェライト材を用いないことからコスト的なメリットはあるものの、磁束が外部に向う方向に発生しないということから、可搬記録媒体に対するデータ通信可能範囲が結局のところ狭くなってしまう欠点がある。
【００２０】
従って本発明の目的は、上記問題に鑑み、可搬記録媒体との間でデータ通信を行うリーダライタおよびリーダライタ機能付き情報携帯端末において、データ通信性能がよく、アンテナコイルの配置に自由度があり、製造コストの安いリーダライタおよびリーダライタ機能付き情報携帯端末を提供することにある。
【課題を解決するための手段】
【００２１】
上記目的を実現するために、本発明の第１の態様においては、可搬記録媒体との間でデータ通信を行うリーダライタ機能を有する情報携帯端末は、この情報携帯端末の筐体の接合部分に設けられる導電性ゴムパッキンを、リーダライタ機能のためのアンテナ回路とすることを特徴とする。
【００２２】
また、本発明の第２の態様においては、可搬記録媒体との間でデータ通信を行うリーダライタは、導電性ポリマー組成物からなり、かつループ形状を有するデータ通信用のアンテナ、を備える。
【００２３】
また、本発明の第３の態様においては、可搬記録媒体との間でデータ通信を行うリーダライタ機能を有する情報携帯端末は、リーダライタ機能用のアンテナであって、この情報携帯端末の筐体の外周部を取り囲むループ形状を有しかつ導電性ポリマー組成物からなるアンテナ、を備える。
【発明の効果】
【００２４】
本発明によれば、可搬記録媒体との間でデータ通信を行うリーダライタおよびリーダライタ機能付き情報携帯端末において、フェライト材を用いずに低コストでリーダライタのデータ通信性能を高めることができる。
【００２５】
また、リーダライタのアンテナコイルを導電性を有する軟質高分子材料で実現することによりループ状のアンテナコイルを様々な形状に変形させることが容易となるので、アンテナコイルの配置の自由度が向上し、各種機器へのリーダライタ機能の組込みがさらに容易になる。リーダライタ機能を組み込む機器の大きさ、用途、機器内の回路構成など、様々な要件に応じてアンテナコイルを設計することが容易となる。
【００２６】
また、リーダライタ機能を有する情報携帯端末において、この情報携帯端末の筐体の接合部分に設けられる導電性ゴムパッキンを、リーダライタ機能のためのアンテナ回路とすることにより、アンテナコイルのループ形状の開口面積を情報携帯端末内において最大限広く取ることができるので、高いデータ通信性能を実現することができる。さらにこの場合、筐体の側面には金属部品が存在しないことから、渦電流によるリーダライタのデータ通信性能の低下も発生しない。また、リーダライタ専用のアンテナコイルを新規に設ける必要がないので、情報携帯端末の製造コストの低減およびより一層の小型化が促進される。
【発明を実施するための最良の形態】
【００２７】
図１は、本発明の第１の実施例によるリーダライタ機能付き情報携帯端末を例示する図である。本実施例では、情報携帯端末の筐体の接合部分に設けられる導電性ゴムパッキンを、リーダライタ機能のためのアンテナ回路とする。リーダライタ機能を組み込む情報携帯端末の例としては、携帯電話、ＰＤＡ、ハンディータイプのバーコードリーダ、ゲーム機、音響機器、映像機器、時計などが考えられるが、本実施例では携帯電話とする。
【００２８】
通常、携帯電話は、各種電子部品を２つの筐体で内部に閉じ込めるようにして製造される。２つの筐体の接合部分には、防塵および防滴のためにゴムパッキンが取り付けられる。このゴムパッキンは導電性を有しており、携帯電話の内部回路のアースを兼ねている。この導電性ゴムパッキンは、例えば、ゴムなどのエラストマーに、ファーネスカーボンやアセチレンブラックなどのカーボンブラックを分散させたものである。
【００２９】
図１（ａ）は本実施例によるリーダライタ機能付きの携帯電話１００の外観を例示する。携帯電話１００は、上部筐体１０Ａと下部筐体１０Ｂとが、導電性ゴムパッキン１１を介して接合されている。図１（ｂ）は、図１（ａ）に示す携帯電話１００の上部筐体１０Ａを取り外した状態を例示しており、図１（ｃ）は、図１（ａ）に示す携帯電話１００の、下部筐体１０Ｂの断面図を例示している。導電性ゴムパッキン１１は、マッチング回路１２に接続され、マッチング回路１２は、ＲＦ回路部および制御回路部などを含む回路１３（以下、単に「リーダライタ電気回路」と称する。）に接続される。これにより、導電性ゴムパッキン１１は、リーダライタのアンテナコイルの機能も有することになる。
【００３０】
図示のように、携帯電話１００の上部筐体１０Ａと下部筐体１０Ｂとの接合部分に張り巡らされた導電性ゴムパッキン１１は、携帯電話１００において物理的に取り得る最大長を確保できる位置に設けられたものであるといえる。したがって、本実施例のように、この導電性ゴムパッキン１１をリーダライタのアンテナコイルとして併用することは、良好なデータ通信性能を得るためにはアンテナコイルのループ形状の開口面積を広くとることを必要とするという、リーダライタの設計思想に合致するものである。なお、既に導電性ゴムパッキンを有する情報携帯端末であれば、マッチング回路やリーダライタ電気回路を設け、導電性ゴムパッキンをマッチング回路に接続すれば、該情報携帯端末にリーダライタ機能を組み込むことが可能となる。
【００３１】
図２は、本発明の第２の実施例によるリーダライタを例示する概略図である。本実施例によるリーダライタは、導電性ポリマー組成物からなり、かつループ形状を有するデータ通信用のアンテナコイル２１、を備える。
【００３２】
導電性ポリマー組成物は、それ自体で既に導電性を持つポリマーであってもよく、あるいは、高分子マトリクス中に導電性フィラーを分散させたものであってもよい。高分子マトリクスは軟質高分子材料からなるのが好ましく、これにより、アンテナコイル２１を永久歪みや損傷を生ずることなく容易に曲げることができる。さらに、高分子マトリクスをエラストマーとすれば、アンテナコイル２１を容易に伸び縮みさせることもできる。導電性フィラーは、例えばカーボンブラックおよび／またはグラファイトなどでもよい。カーボンブラックの例としては、ファーネスカーボンやアセチレンブラックなどがある。高分子マトリクス中に導電性フィラーを分散させたものの具体例としては、導電性ゴムでは、例えばシリコンゴムにカーボンブラックを分散させたものが挙げられ、また、導電性プラスチックでは、例えばＡＢＳに黄銅繊維および黄銅フレークを分散させたもの、変形ＰＰＥにＡｌ繊維およびＡｌフレークを分散させたもの、ＰＢＴに黒鉛およびカーボンブラックを分散させたもの、ＰＰにＮｉメッキマイカフレークを分散させたもの、ＰＡ−６にＮｉフレークを分散させたもの、などが挙げられる。
【００３３】
図２（ａ）に示すように、本実施例のリーダライタ１は、アンテナコイル２１と、アンテナコイル２１に接続されるマッチング回路１２と、マッチング回路１２に接続されるリーダライタ電気回路１３とを備える。アンテナコイル２１を例えばシリコンゴムにカーボンブラックを分散させたもので形成すると、導電性を有しかつゴム弾性を有するアンテナを実現することができる。アンテナコイル２１がゴム弾性を有することにより、図２（ｂ）および２（ｃ）に示すように、様々な態様のループ形状を容易に実現することができる。つまり、本実施例によれば、リーダライタ機能を組み込む機器の大きさ、用途、機器内の回路構成など、様々な要件に応じてアンテナコイルの形状を容易に変形させることができることから、リーダライタ機能を組み込むことができる機器の種類が広がる。リーダライタ機能を組み込む機器内の電気回路基板の外周、機器の筐体の外周、あるいは機器の筐体内の隙間空間に、本実施例によるアンテナコイルを設置するのも容易となる。特に、本実施例によるアンテナコイルを機器の筐体の外周に設置する場合は、該アンテナコイルを上述の第１の実施例のように筐体内部を保護する防塵および防滴パッキンとしても併用することができ、また、電磁波シールドとしても併用することができる。
【００３４】
図３は、本発明の第２の実施例によるリーダライタにおけるマッチング回路およびリーダライタ電気回路の配置例を示す図である。第２の実施例によるリーダライタにおいて、マッチング回路１２と、リーダライタ電気回路１３と、アンテナコイル（図示せず）とマッチング回路１２との接続のための接続端子１４とをプリント基板２２上に実装してモジュール化すれば、リーダライタ機能の機器内への組込みもさらに容易になる。
【００３５】
図４は、本発明の第２の実施例によるリーダライタにおける、アンテナコイルと図３に示す接続端子との接続例を示す図（その１）である。この例では、導電性フィラーを添加した接着剤１５を用いて、アンテナコイル２１と図３に示す接続端子１４とを接続する。
【００３６】
図５は、本発明の第２の実施例によるリーダライタにおける、アンテナコイルと図３に示す接続端子との接続例を示す図（その２）であり、（ａ）は上面図であり、（ｂ）は側面図である。なお、図５（ｂ）については、プリント基板２２上に実装されるマッチング回路１２およびリーダライタ１３については省略している。
【００３７】
リーダライタ機能が組み込まれる機器の筐体が、図１のように２つの筐体を接合することにより実現される場合において、アンテナコイル２１は、一方の筐体の内側（図示せず）に固定される。これに対し、プリント基板２２は、一方の筐体の内側（図示せず）に固定される。このような２つの筐体を嵌合させると、アンテナコイル２１と接続端子１４とは圧着されることになる。このとき、プリント基板２２上に実装される接続端子１４は、図示のように、導電性金属を折り曲げてバネ弾性を持たせて構成すれば、アンテナコイル２１と接続端子１４との電気的な接触抵抗をより一層減少させることができる。
【００３８】
図６は、図５に示す接続例における接続端子の形状のバリエーションを示す図（その１）であり、（ａ）は上面図であり、（ｂ）は側面図である。図示のように導電性金属を突起状に折り曲げて接続端子１４にバネ弾性を持たせてもよい。
【００３９】
図７は、図５に示す接続例における接続端子の形状のバリエーションを示す図（その２）であり、（ａ）は接続端子の上面図であり、（ｂ）は接続端子の側面図である。図示のように、導電性金属を階段状に折り曲げて接続端子１４にバネ弾性を持たせてもよい。
【００４０】
図８は、図７に示す接続端子とアンテナコイルとの接続状態を示す側面図である。アンテナコイル２１を例えばシリコンゴムにカーボンブラックを分散させたもので形成すると、導電性を有しかつゴム弾性を有することになるが、このアンテナコイル２１のゴム弾性により、アンテナコイル２１と接続端子１４とを圧着させたとき、アンテナコイル２１が接続端子１４の階段状部分に食い込むようになり、その結果、アンテナコイル２１と接続端子１４との接触面積が増加して電気的接触抵抗が減少する。
【００４１】
図９は、本発明の第２の実施例によるリーダライタにおける、アンテナコイルと図３に示す接続端子との接続例を示す図（その３）であり、（ａ）は上面図であり、（ｂ）は側面図であり、（ｃ）はアンテナコイルと接続端子との接続状態を示す側面図である。なお、図９（ｂ）および９（ｃ）については、プリント基板２２上に実装されるマッチング回路１２およびリーダライタ１３については省略している。この例では、ゴム弾性を有するアンテナコイル２１の、接続端子１４との接続部分を、突起状に形成する。これに対し、接続端子１４は、凹部形状とする。このとき、アンテナコイル２１と接続端子１４とを圧着させると、図９（ｃ）に示すように、アンテナコイル２１の突起部分が接続端子１４の凹部内に押しつぶされるようにして接触することになり、その結果、アンテナコイル２１と接続端子１４との接触面積が増加して電気的接触抵抗が減少する。なお、アンテナコイル２１は、ゴム弾性を有するので、このような突起形状を特に設けなくても、アンテナコイル２１と接続端子１４とを強力に圧着させることができれば、アンテナコイル２１の、接続端子１４との接続部分が同様に押しつぶされるように接触することになる。
【００４２】
図１０は、図９に示す接続例における接続端子の形状のバリエーションを示す図である。ゴム弾性を有するアンテナコイル２１の、接続端子（図示せず）との接続部分は、図９に示す突起状に限定されず、例えば、図１０（ａ）に示すように三角形状に形成したり、あるいは、図１０（ｂ）に示すように四角形状に形成してもよい。
【００４３】
図１１は、本発明の第２の実施例によるリーダライタにおける、アンテナコイルと図３に示す接続端子との接続例を示す図（その４）であり、（ａ）は上面図であり、（ｂ）は側面図であり、（ｃ）はアンテナコイルと接続端子との接続状態を示す側面図である。なお、図１１（ｂ）および１１（ｃ）については、プリント基板２２上に実装されるマッチング回路１２およびリーダライタ１３については省略している。この例では、接続端子１４を、プリント基板２２上にスルーホールで形成する。これに対し、ゴム弾性を有するアンテナコイル２１の、接続端子１４との接続部分については、突起状に形成するが、図１０に示すような形状に形成してもよい。図１１に示す接続例でも、図９の接続例と同様に、アンテナコイル２１と接続端子１４とを圧着させると、アンテナコイル２１の突起部分が接続端子１４の凹部内に押しつぶされるようにして接触することになる。
【００４４】
本発明の第３の実施例は、上述の第２の実施例によるリーダライタを備える情報携帯端末である。すなわち、本発明の第３の実施例によれば、可搬記録媒体との間でデータ通信を行うリーダライタ機能を有する情報携帯端末は、リーダライタ機能用のアンテナコイルであって、この情報携帯端末の筐体の外周部を取り囲むループ形状を有しかつ導電性ポリマー組成物からなるアンテナコイル、を備える。本実施例におけるアンテナコイルの詳細は上述の第２の実施例と同様である。また、本実施例を、情報携帯端末を携帯電話とした例とすれば、その外観例は図１と同様である。本実施例によれば、アンテナコイルのループ形状の成形が容易であるとともにアンテナコイルを情報携帯端末内に配置する自由度も従来に比べて高いので、リーダライタ機能付きの情報携帯端末の設計および製造が容易となる。
【産業上の利用可能性】
【００４５】
本発明は、携帯電話、ＰＤＡ、携帯型バーコードリーダ、ゲーム機、音響機器、映像機器、時計など各種情報携帯端末に、リーダライタ機能を組み込む場合に適している。また、従来の情報携帯端末に、リーダライタ機能を組み込むような改造も容易となる。また、既に導電性ゴムパッキンを有する情報携帯端末であるならば、マッチング回路やリーダライタ電気回路を設け、導電性ゴムパッキンをマッチング回路に接続すれば、該情報携帯端末にリーダライタ機能を組み込める。
【図面の簡単な説明】
【００４６】
【図１】本発明の第１の実施例によるリーダライタ機能付き情報携帯端末を例示する図である。
【図２】本発明の第２の実施例によるリーダライタを例示する概略図である。
【図３】本発明の第２の実施例によるリーダライタにおけるマッチング回路およびリーダライタ電気回路の配置例を示す図である。
【図４】本発明の第２の実施例によるリーダライタにおける、アンテナコイルと図３に示す接続端子との接続例を示す図（その１）である。
【図５】本発明の第２の実施例によるリーダライタにおける、アンテナコイルと図３に示す接続端子との接続例を示す図（その２）であり、（ａ）は上面図であり、（ｂ）は側面図である。
【図６】図５に示す接続例における接続端子の形状のバリエーションを示す図（その１）であり、（ａ）は上面図であり、（ｂ）は側面図である。
【図７】図５に示す接続例における接続端子の形状のバリエーションを示す図（その２）であり、（ａ）は接続端子の上面図であり、（ｂ）は接続端子の側面図である。
【図８】図７に示す接続端子とアンテナコイルとの接続状態を示す側面図である。
【図９】本発明の第２の実施例によるリーダライタにおける、アンテナコイルと図３に示す接続端子との接続例を示す図（その３）であり、（ａ）は上面図であり、（ｂ）は側面図であり、（ｃ）はアンテナコイルと接続端子との接続状態を示す側面図である。
【図１０】図９に示す接続例における接続端子の形状のバリエーションを示す図である。
【図１１】本発明の第２の実施例によるリーダライタにおける、アンテナコイルと図３に示す接続端子との接続例を示す図（その４）であり、（ａ）は上面図であり、（ｂ）は側面図であり、（ｃ）はアンテナコイルと接続端子との接続状態を示す側面図である。
【図１２】一般的な非接触型のリーダライタの概略的な回路図である。
【図１３】従来例によるリーダライタ機能付き携帯電話を例示する図であり、（ａ）は正面図、（ｂ）は側面図、（ｃ）は背面図である。
【図１４】アンテナコイルにおける電磁誘導現象を説明する図である。
【図１５】渦電流に起因するリーダライタのデータ通信性能の低下を説明する図である。
【図１６】渦電流に起因するリーダライタのデータ通信性能の低下を防止するフェライト材を備えるリーダライタ機能付き携帯電話の従来例を説明する図であり、（ａ）は正面図、（ｂ）は側面図、（ｃ）は背面図である。
【図１７】図１６に示すリーダライタ機能付き携帯電話における電磁誘導現象を説明する図である。
【図１８】アンテナコイルのパターンを工夫することによりデータ通信性能の低下を防止するリーダライタ機能付き携帯電話の従来例を説明する図であり、（ａ）は正面図、（ｂ）は側面図、（ｃ）は背面図である。
【図１９】図１８に示すリーダライタ機能付き携帯電話のアンテナコイルのパターンを示す拡大図である。
【図２０】図１８および１９に示すリーダライタ機能付き携帯電話における電磁誘導現象を説明する図であって、特に図１９のＡ−Ａ’断面図である。
【符号の説明】
【００４７】
１    リーダライタ
１０Ａ    上部筐体
１０Ｂ    下部筐体
１１    導電性ゴムパッキン
１２    マッチング回路
１３    リーダライタ電気回路
１４    接続端子
１５    接着剤
２１    アンテナコイル
２２    プリント基板
１００    携帯電話
２００    情報携帯端末
【図１】
2006157206.tif 000003
【図２】
2006157206.tif 000004
【図３】
2006157206.tif 000005
【図４】
2006157206.tif 000006
【図５】
2006157206.tif 000007
【図６】
2006157206.tif 000008
【図７】
2006157206.tif 000009
【図８】
2006157206.tif 000010
【図９】
2006157206.tif 000011
【図１０】
2006157206.tif 000012
【図１１】
2006157206.tif 000013
【図１２】
2006157206.tif 000014
【図１３】
2006157206.tif 000015
【図１４】
2006157206.tif 000016
【図１５】
2006157206.tif 000017
【図１６】
2006157206.tif 000018
【図１７】
2006157206.tif 000019
【図１８】
2006157206.tif 000020
【図１９】
2006157206.tif 000021
【図２０】
2006157206.tif 000022